(57)【要約】【課題】パチンコ台を、パチンコ島に統一した傾きで取り付けることが難しいという問題があった。これは取り付け時の傾きを調整して位置決めする手段と、パチンコ台のセル盤面の傾きを測定する手段が別々に考えられていたので、測定の結果に対応して調整することができなかったためである。【解決手段】パチンコ台の取り付けを高い傾き精度で設定できる位置決め調整手段と、セル盤面の傾きを同様の精度で測定できる測定器を提供し、測定器の表示値の間隔が、位置決め調整手段の操作単位と対応するようにして、パチンコ台を統一した傾きで設置できるようにした。【選択図】図８
2009172342.tif 000002
【特許請求の範囲】
【請求項１】
パチンコ島のパチンコ台の装着枠部の上枠部と下枠部に位置決め手段を設け、この位置決め手段は装着枠部内に配置したパチンコ台の取り付け枠の上桟および下桟の後端部に当接して取り付け枠の後方向への移動を規制し、この位置決め手段の何れか一方は取り付け枠の上桟もしくは下桟の位置を可変して規制する位置決め調整手段を備え、この取り付け枠にパチンコ台を装着して位置決め調整手段を可変操作することで、パチンコ台の取り付け枠の上桟もしくは下桟を前後方向に移動して位置決め調整ができるようにしたパチンコ台の位置決め装置であり、この位置決め調整手段の所定単位の操作によるパチンコ台の取り付け枠の下桟もしくは上桟の移動値を、パチンコ台のセル盤面の傾きを測定して表示する傾き測定器の表示部の表示値の間隔と対応させたことを特徴とするパチンコ台の位置決め装置。
【請求項２】
何れか一方の位置決め手段は、パチンコ台の取り付け枠の上桟もしくは下桟の後端部に当接して位置決めをする当接部と、この当接部を先端に設け他端に操作部を設けたネジと、このネジと螺合しパチンコ島の装着枠部に止着する止着部を備えたナットとよりなる位置決め調整手段を備え、この位置決め調整手段のネジのピッチを傾き測定器の表示部の表示間隔と対応させたことを特徴とする請求項１に記載のパチンコ台の位置決め装置。
【請求項３】
何れか一方の位置決め手段は、パチンコ台の取り付け枠の上桟もしくは下桟の後端部に当接して位置決めをする当接部と、この当接部を先端に設け他端に操作部を設けたネジと、このネジと螺合しパチンコ島の装着枠部に止着する第１および第２の止着部を備えたナットと、この第１の止着部に着脱自在に設けられパチンコ島のパチンコ台の装着枠部の上枠部に止着する第２の止着部とで形成した位置決め調整手段を備え、この位置決め手段を装着枠部の下枠部に止着する場合は第２の止着部を取り外して取り付けを行い、この位置決め手段のネジのピッチを傾き測定器の表示部の表示間隔と対応させたことを特徴とする請求項１に記載のパチンコ台の位置決め装置。
【請求項４】
パチンコ島のパチンコ台の装着枠部にパチンコ台を取り付けるにあたり、パチンコ台の取り付け枠を装着枠部内に配置してこの上桟および下桟の後端部を装着枠部に設けた位置決め手段に当接して仮の位置を決め、次いで取り付け枠にパチンコ台を装着してこのセル盤面の傾きを傾き測定器で測定し、所定の傾きと一致しない場合は、何れか一方の位置決め手段に備えた位置決め調整手段の操作部を測定器の表示値と対応操作してセル盤面の傾きを補正してパチンコ台の位置決めをすることを特徴とするパチンコ台の位置決め方法。
【発明の詳細な説明】
【技術分野】
【０００１】  この発明はパチンコ島（パチンコ台が並んで設置される構造物）にパチンコ台を取り付ける際にパチンコ台を所定の傾きに位置決めする装置と、それを用いた位置決め方法に関する。
【背景技術】
【０００２】  図４、図５で示したように、パチンコ台１は外側に設けられた取り付け枠２を介して、パチンコ島イの装着枠部３内に所定の傾きで取付けられ、通常はパチンコ台１を正面より見てパチンコ台１の上端部１ａが後方に傾いた状態で取付けられる。【０００３】  この傾きの程度は、パチンコ台１の上端部１ａが鉛直線４に対して後方へ１°以内の傾きで取り付けることが義務付けられている。【０００４】  パチンコの業界ではこの１°以内の最大の傾きを４分５厘と称し（鉛直線４に直角に上端部１ａが１３．６ミリ後方へ傾いた状態）この４分５厘の傾きは約０．９６°であるので、パチンコ台１を４分５厘で取り付けた場合、決められている１°以内の取り付け条件を満たすこととなる。【０００５】  パチンコ台は新規開店の場合以外にも、恒常的に入れ替えが行われるものでありその都度に上記の取り付け条件を満たす範囲で、パチンコ台の機種に応じて所定の傾きで取り付けられるが、この作業は職人的な作業に頼られており、取り付け効率及び位置決め精度の上で問題があった。【０００６】  これらの問題を鑑みて取り付け装置を利用したものがある。（例えば、特許文献１参照）【０００７】  以下、図１、図２、図３により従来の取り付け装置を説明する。パチンコ台１は取り付け枠２に取り付けられており、この上桟２ａ及び下桟２ｂはパチンコ島イの装着枠部３（上枠部３ａと下枠部３ｂ）にネジ１３で止着した取り付け部材５及びネジ１４で止着したトグルクランプ６で取り付けられている。【０００８】  取付部材５はラック部材７とこれをスライドできるように収納した保持ブロック８によって、ラック部材７がスライド移動するとパチンコ台１が取り付け枠２の下桟２ｂを支点として上端部１ａを同様に移動して傾きが変えられるようにしている。【０００９】  このラック部材７を傾き調節のために動かすには、図３の調節具９のピニオン歯１０を図２で示した調整孔１１に差し込んでラックピニオン機構によって回転させて行う。１２は蝶ボルト（ストッパー）であり回転操作して、ラック部材７の移動の解除及び固定の作用が行われる。【００１０】
【特許文献１】特許２８１５８４８号公報
【発明の開示】
【発明が解決しようとする課題】
【００１１】  実際に複数店のパチンコ台の取り付け状態を測定したところ、（測定にあたっては本発明に係わる後述の測定器を用いてパチンコ台の後述のセル盤面の傾きを測定した）取り付け条件の１°以内の傾きを遥かに超えている場合を含み、０．５５°（２分５厘）から１．３０°（６分）の範囲でバラツキがあった。このような現状では、第１にパチンコ台の取り付けが設置条件に違反していること、第２に同一の機種が同じ傾きに取り付けられていないので、同一機種のパチンコ玉の入賞確率にバラツキがあり出玉の管理（釘の調整等）が基準のない状態で行なわれており、管理が煩雑になり結果として店の経営に支障をきたしている。【００１２】  これらの課題が今まで放置されてきたのは、パチンコ台の傾きの基準となるセル盤（釘の植えられている盤）の盤面の傾きを実用的に測定できる測定手段が無かったことと、この測定の結果に応じて、傾きの度合いを簡単に調整できる位置決め装置がなかったことが原因である。【００１３】  上記の課題を説明すると、セル盤はベニヤ板にプラスチックフィルムを貼った構造であるので、盤面にわずかの凹凸があったり全体で多少の歪みがあったりする場合が多い。従って、盤面の測定個所によっては測定誤差を生ずる。これを測定して実用的に利用できるようにするには、この誤差を先ず測定器の表示が一般的な○°○分で表示する角度表示であると表示値が測定のたびに大きく変わってしまうので利用できず、さらには、例えば当業界で利用されている傾きの単位の４分の傾きに設定したい場合、表示された０．８６°を４分と換算して確認する必要もあり、煩雑で実用には適さない。一方、測定結果に基づいて位置決め装置を操作する上でも、測定と操作を交互に繰り返して次第に設定値に近づけることとなるので煩雑な作業となり、１店舗あたり平均４００台前後あるパチンコ台の傾きを設定する上で現実には利用できない。【００１４】  前述の従来の取り付け装置では、調節具９を操作してピニオン歯１０を回転させるとラック部材７が動いてパチンコ台１の上端部１ａを移動させることとなる。しかしピニオン歯１０とラック部材７との歯合はある程度の遊びがないとスムーズに動くことができないので、設計上多少のガタを必要とし、これが原因で操作後の停止位置の精度が確保されない。【００１５】このガタ付を防止する上で、操作後にストッパー機能としての蝶ボルト１２で固定するものであるが、ガタ付いた状態で蝶ボルト１２で固定しても固定位置がバラ付いて、必要とするピニオン歯１０のピッチに見合った調整をすることができない。【００１６】  前述の測定手段を解決してセル盤面の傾きを実用的に測定できたとしても、斯様な従来の取り付け装置では、正確（必要とする精度）に位置決めすることができなく、さらに測定結果に対応して実用的に（簡単に）パチンコ台の傾きを統一して設置することができない。【００１７】  パチンコ台の従来の取り付け手段（取り付け方法）は、図４、図５、図６で示したように、パチンコ台１をパチンコ島イに取り付けるにあたり、先ず取り付け枠２をパチンコ島イの装着枠部３内に入れて、装着枠部３の下枠部３ｂと取り付け枠２の下桟２ｂの前面の出面をあわせて下桟２ｂをトグルクランプ��ビス１５や釘等で止着し、取り付け枠２の左右の縦桟２ｃの前面部２ｄに水準器等の測定器をあて、取り付け枠２を必要とする所定の傾きにあわせながら、取り付け枠２の上桟２ａを従来の取り付け装置やもしくはビス１６や釘等で止着し、この取り付け枠２にパチンコ台１を装着して、この取り付け枠２の傾きの設定によってパチンコ台１が所定の傾きで取り付けられたものとしていた。【００１８】  パチンコ台１は図６のように、取り付け枠２の片側で開閉するヒンジ構造（パチンコ台１のヒンジ板１８、１８のヒンジ穴１９、１９に、取り付け枠２のヒンジ板２０、２０のヒンジピン２１、２１を嵌めて）で取り付け枠２に装着されるものであり、取り付け枠２に対して閉じた状態で施錠されて利用される。このヒンジ板１８と２０の取り付け精度およびパチンコ台１の施錠状態での位置精度は誤差が大きいので、取り付け枠２の傾きを一定として装着枠部３に止着しても、これに取り付けたパチンコ台１の傾き（セル盤面の傾き）は１台づつ異なった状態となる。このような従来の取り付け手段（取り付方法）では、前述のように多数のパチンコ台のセル盤面の傾きを測定した場合に判明したように、大きな取り付け誤差を生ずる原因となっている。【００１９】  この課題を解決するにはセル盤面の測定手段と調整手段の両方を関連づけて捉えないと実用的にならない。【００２０】  本発明は、このような従来の構成および方法が有していた問題を解決しようとするものであり、第１にパチンコ台のセル盤面の傾きを実用的に測定できる傾き測定器と、この傾き測定器の測定結果に対応してパチンコ台の傾きを実用的に調整できる位置決め装置を提供し、第２にこれらを用いた取り付け方法を提供することによってパチンコ台の傾きを設置条件に適った傾きで、且つ必要とする所定の傾きに機種ごとに統一して位置決め可能にし、店の出玉管理および経営管理上の便益を計るものであり、第３にパチンコ台の出玉の調整は機種ごとに傾きが一定となって傾きの基準が統一されていれば、取り付け装置を操作してパチンコ台の傾きを変化させて出玉を調整する作業より、釘を調整したほうが作業が簡単であり、取り付け装置は位置決めだけできればことたりる。従って、この位置決めだけできて取り付けは従来手法のビスや釘等で止着するようにすれば、位置決め装置はパチンコ台の取り付け枠への取り付け構造を必要としないのでコスト低下がはかられる。
【課題を解決するための手段】
【００２１】そして、本発明は上記目的を達成するために、パチンコ島のパチンコ台の装着枠部の上枠部と下枠部に位置決め手段を設け、この位置決め手段は装着枠部内に配置したパチンコ台の取り付け枠の上桟および下桟の後端部に当接して取り付け枠の後方向への移動を規制し、この位置決め手段の何れか一方は取り付け枠の上桟もしくは下桟の位置を可変して規制する位置決め調整手段を備え、この取り付け枠にパチンコ台を装着して位置決め調整手段を可変操作することで、パチンコ台の取り付け枠の上桟もしくは下桟を前後方向に移動して位置決め調整ができるようにしたパチンコ台の位置決め装置であり、この位置決め調整手段の所定単位の操作によるパチンコ台の取り付け枠の下桟もしくは上桟の移動値を、パチンコ台のセル盤面の傾きを測定して表示する傾き測定器の表示部の表示値の間隔と対応させたものである。【００２２】  また、何れか一方の位置決め手段は、パチンコ台の取り付け枠の上桟もしくは下桟の後端部に当接して位置決めをする当接部と、この当接部を先端に設け他端に操作部を設けたネジと、このネジと螺合しパチンコ島の装着枠部に止着する止着部を備えたナットとよりなる位置決め調整手段を備え、この位置決め調整手段のネジのピッチを傾き測定器の表示部の表示間隔と対応させたものである。【００２３】  また、何れか一方の位置決め手段は、パチンコ台の取り付け枠の上桟もしくは下桟の後端部に当接して位置決めをする当接部と、この当接部を先端に設け他端に操作部を設けたネジと、このネジと螺合しパチンコ島の装着枠部に止着する第１および第２の止着部を備えたナットと、この第１の止着部に着脱自在に設けられパチンコ島のパチンコ台の装着枠部の後端部に止着する第２の止着部とで構成した位置決め調整手段を備え、この位置決め手段を装着枠部の下枠に止着する場合は第２の止着部を取り外して取り付けを行い、この位置決め手段のネジのピッチを傾き測定器の表示部の表示間隔と対応させたものである。【００２４】  また、パチンコ島のパチンコ台の装着枠部にパチンコ台を取り付けるにあたり、パチンコ台の取り付け枠を装着枠部内に配置してこの上桟および下桟の後端部を装着枠部に設けた位置決め手段に当接して仮の位置を決め、次いで取り付け枠にパチンコ台を装着してこのセル盤面の傾きを傾き測定器で測定し、所定の傾きと一致しない場合は、何れか一方の位置決め手段に備えた位置決め調整手段の操作部を傾き測定器の表示値と対応操作してセル盤面の傾きを補正してパチンコ台の位置決めをする方法を提供するものである。【００２５】  上記の課題解決手段による作用は次のとおりである。すなわち、傾き測定器の測定値の表示を角度表示でなく、所定の長さの鉛直線４に対する直角方向の距離をｍｍ単位の表示値で表すようにし、さらに、この表示値の表示の間隔をセル盤面の測定誤差に近似するかもしくはそれ以上としたので、セル盤面の傾きを表示値の間隔の範囲の精度で捕らえて測定することができる。【００２６】  またこの表示値の表示の間隔と、位置決め調整手段の操作部の半回転もしくは１回転の操作単位によるパチンコ台の下端部もしくは上端部の移動値を対応させることで、測定結果によって操作部を操作する場合、��回の操作（パチンコ台１を取り付け枠２より１回開いて、操作して閉じる）で行うことができる。【００２７】  これらの作業を従来の測定器で行おうとする場合、および、本発明の位置決め装置を用いない場合は、セル盤面の凹凸によって測定箇所を変えるたびに数値が変わり、傾きの調整も１回で位置決めができないので測定と位置決め調整を交互に繰り返して近づける以外に手がなく、その都度にパチンコ台も開閉をくりかえすことになる。【００２８】  また、位置決め調整手段の操作部は半回転もしくは１回転を操作単位としているので、前述の従来の取り付け装置に比べて操作範囲が広く微細な調整ができる。また、位置決め後は従来のビスなどによって止着すればよいので特に取り付け装置としての機構を必要とせずコスト低下が可能である。【００２９】  また、上記の課題解決手段による別の作用は、位置決め調整手段のネジのピッチを１．５ｍｍとした場合、操作部を１回転するとパチンコ台の傾きは同様に１．５ｍｍすなわち５厘変化し、半回転で２．５厘の調整が可能である。したがって傾き測定器の表示値の間隔を上記の半回転の間隔、即ち２．５厘として対応させているので、設定値に対する表示値の過もしくは不足数値分だけ操作部を半回転を１単位として右（後退）もしくは左（前進）回転操作することで調整できるので、調整操作を１回で終えることができる。【００３０】  また、上記の課題解決手段による別の作用は、位置決め手段の止着部を取り外し自在としたので、位置決め手段２２はパチンコ島イの装着枠部３の上枠３ａの幅に関係なく取り付けができ、さらに装着枠部３の下枠部３ｂに兼用して取り付けることができる。【００３１】  また、上記の解決手段による別の作用は、パチンコ台の取り付けにあたり、パチンコ台の取り付け枠３の傾きを測定するような従来の余分な作業の必要がなく、直接にセル盤面の傾きを測定してその結果に応じて傾きを１回で位置決め調整できるので取り付けの精度が高くさらに作業時間が短縮される。
【発明の効果】
【００３２】  上述したように本発明のパチンコ台の位置決め装置と、それを用いた位置決め方法は、パチンコ台１を、セル盤面の傾きを基準として多数の台数を現実的かつ効率的に位置決めできるので、設置基準に適った状態で、機種ごとに必要とする傾きに統一して取り付けでき、パチンコ玉の出玉管理が一定の基準のもとで行うことができ、結果して店の出玉率等の計数管理が従来に比較して簡易かつ高精度で行えるようになる。【００３３】  また、パチンコ台１の新規取り付けや、入れ替えの作業に熟練やカンを必要とせずに、数値的に確認して簡易に位置決めできるので、熟練者でなくとも取り付け作業することができる。また、設置後の確認および補正の作業も短時間でできるので日常の営業に支障なく実施することが可能である。また、パチンコ島イの装着枠部３の上枠部３ａに障害物があって位置決め調整手段の取り付けができない場合、止着部の止板を外すことで兼用して下枠部３ｂに取り付けできる。また、パチンコ台１の取り付け枠２に対する取り付け機構を必要としないのでコスト低下が計られる。
【発明を実施するための最良の形態】
【００３４】  以下、本発明の実施の形態を図７〜図２６に基づいて説明する。【００３５】  パチンコ島イの内部裏側（背面図）を示した図７において、装着枠部３は上枠部３ａ、下枠部３ｂと縦枠部３ｃ、３Ｃとで形成されてパチンコ島イに一体として設けられている。パチンコ台１の取り付けにあたっては、先ず、装着枠部３の内側に取り付け枠２を取り付けて、次いで、この取り付け枠２にパチンコ台１を取り付けることになる。【００３６】  この発明の位置決め手段２２は装着枠部３の上枠部３ａに、他方の位置決め手段２３は下枠部３ｂに夫々左右一対に止着されている。位置決め手段２２は図８、図１０で示した様に止着部２４と、この止着部２４に設けたナット２５と、このナット２５に螺合するネジ２６と、このネジ２６に設けた当接部２７および操作部２８とで構成している。【００３７】  止着部２４は第１の止着部２４ａと第２の止着部２４ｂよりなり、第１の止着部２４ａは止穴２９を設けた上板３０よりなり、この上板３０は下方にナット穴３１を備えたナット収容部３２を一体に形成してなり、ナット収容部３２内にはナット２５が装着される。第２の止着部２４ｂは止穴３３を有する立ち上がり板３４と、止穴３５を形成した水平板３６と、水平板３６より狭幅で延長し挿通穴３７を備えた差込板３８とで構成され、ナット収容部３２のナット２５と上板３０との間隙に差込板３８を挿入して、上板３０の挿通穴３９と差込板３８の挿通穴３７にネジ４０を挿入しナット２５のネジ穴４１に螺着してナット２５と止着部２４ａ、２４ｂを一体化する。ネジ２６は上記のナット２５に螺合して、先端には径大な当接部２７を後端にはハンドル状の操作部２８が設けられている。【００３８】  当接部２７は一体としたネジ４３をネジ２６のネジ穴４４に、操作部２８は一体としたネジ４５をネジ２６のネジ穴４６に夫々ねじ込んで固定されている。この位置決め手段２２は、ナット２５、ネジ２６、当接部２７および操作部２８とで位置決め調整手段を構成している。【００３９】  位置決め手段２３は図９で示したように、Ｌ型の立ち上がり部４７と水平取り付け部４８とよりなり、水平取り付け部４８にはビス等で止着する止穴４９と上方より打ち込んで位置ズレを防ぐハーフカット片５０が形成されている。【００４０】  位置決め手段２２の取り付けおよび、この調整手段の操作を図１１から図１３によって説明する。【００４１】  パチンコ島イの装着枠部３の上枠部３ａの後端部に、位置決め手段２２の第２の止着部２４ｂを配置して、それぞれの止穴３３、３５にビス５１、５２で取り付ける。水平部３６を止着するビス５１は取り付け枠２との間隙が少ないため皿ビスを利用してビス頭が邪魔にならないようにしている。上記の位置決め手段２２の取り付け後に、装着枠部３内に取り付け枠２を配置するがこの上桟２ａの後端部５３は当接部２７で後方向の移動が規制される。従って操作部２８を回転操作することで取り付け枠２の上部の位置は前後方向に可変でき、装着したパチンコ台１の上部の位置を同様に変えることができる。
ネジ２６およびナット２５のネジピッチを例えば１．５ミリとすると、操作部２８を１回転することでパチンコ台１の上端部１ａの位置決めを同様に１．５ミリ（５厘）変えることができる。【００４２】  操作部２８はハンドル状としているので、この操作にあたってパチンコ島イの前側より手を差し込んで、特に目で確認しなくとも１回転もしくは半回転づつの操作単位で操作することができる。パチンコ台１の傾き位置が確定した後は取り付け枠２の上桟２ａはビス６３や釘等で固定される。【００４３】  次に、位置決め手段２３の取り付けを図１４によって説明する。この位置決め手段２３は装着枠部３の下枠部３ｂの上面にハンマー等で水平取り付け部４８を叩いてハーフカット片５０を打ち込み、次いでビス５４で止穴４９を介して止着する。【００４４】  位置決め手段２３は取り付け枠２を配置する前に装着枠部３に取り付けておくものであるが、取り付け枠２の下桟２ｂの前端５５を装着枠３の下枠部３ｂの前端５６に合わせた状態で下桟２ｂの後端５５ａに立ち上がり部４７が当たる位置に取り付けを行い、この位置決め後に取り付け枠２の下桟２ｂはビス７１や釘などで固定される。【００４５】  図１５から図１７は、位置決め手段２２、２３を障害物等を原因として装着枠部３の上下逆の箇所に取り付ける場合を示している。位置決め手段２２を装着枠部３の下枠部３ｂに取り付ける場合は、図８で示したネジ４０を外して第２の止着部２４ｂを取り除いてから、このネジ４０でナット収容部３２の止穴５９を介してナット２５を固定した状態で第１の止着部２４ａをビス６０で止着し、当接部２７が取り付け枠３の下桟２ｂの後端５５ａに当てて位置決めするようになる。【００４６】  次に、この位置決め手段２２、２３を利用したパチンコ台１の取り付け方法を図１８および図２４から図２６により説明する。【００４７】  図１８および図２４から図２６に示したように、装着枠部３に位置決め手段２２、２３が取り付いた状態で、取り付け枠２を装着枠部３内に配置して、この下桟２ｂの後端５５ａを位置決め手段２３にあてて位置決めして下桟２ｂをビス７１で止着し、次いで上桟２ａの後端部５３を位置決め手段２２の当接部２７に当てた状態で、パチンコ台１を図６で示したように取り付け枠２に開閉自在に取り付け（このパチンコ台１は取り付け枠２に閉じた状態で自動的に施錠され、この開閉はパチンコ台１の前面より開錠操作をしておこなう）施錠された状態でこのセル盤面６１の傾きを後述の傾き測定器６２で測定し、設定値と相違する場合は、パチンコ台１を取り付け枠２より開いて持ち上げたままで位置決め手段２２の操作部２８を操作して位置決め（傾きの決定）を行う。位置決め後は取り付け枠２の上桟２ａを当接部２７に押し当てた状態で図２６で示したように上桟２ａをビス６３や釘等で止着して取り付けを完了する。【００４８】  傾き測定器６０の測定はパチンコ台１のセル盤面６１の左右の箇所にて行い、位置決め調整手段２２の調整も同様に対応する左右にて行う。【００４９】  この発明では、パチンコ台１のセル盤面６１の傾きを測定して、このセル盤面６１の傾きを持ってパチンコ台１の傾きとしている。セル盤面６１の傾きを測定するには、図２１で��したようにパチンコ台１の前面のガラス面６４を開いて図２２で示したようにセル盤面６１の釘６５を跨いで測定する。【００５０】  この発明では、位置決め手段２２の操作部２８の操作単位（１回転および半回転等の単位）と傾き測定器６２の表示部６６の表示値Ａの間隔とを対応させることで、位置決めの操作が簡単で高精度でおこなえるようにしている。【００５１】  次に傾き測定器６２を説明する。図１８から図２３で示した傾き測定器６２は、測定面７４にコ型の測定脚７２を設けている。測定脚７２は取り付け穴６７にネジ６８を挿入して測定面７４のネジ穴６９に止着固定されている。測定脚７２の先端面７０、７０と測定面７４は平行とし、さらに図２２で示したように釘６５を跨いでセル盤面６１にあてることができるので、セル盤面６１の傾きを測定することができる。７３はＯＮ、ＯＦＦのスイッチ、６６は表示部、Ａは表示値を示している。【００５２】  傾き測定器６２は図２３で示したように、測定脚７２の傾き度合いを角度センサーで感知し、次いでマイクロプロセッサーおよびＰＲＯＭ（プログラム専用メモリー）で演算処理および記憶して、ＬＣＤ表示ドライバよりＬＣＤ表示装置で結果を表示する。【００５３】  図１８および図１９において、取り付け枠２の下桟２ｂの下面より鉛直線４の上方に１，０００ｍｍの点とパチンコ台１の傾きで上端部１ａより延長した点までの距離（パチンコ台１の傾き）を表す表示値Ａの表示の間隔は、図１９に示したように１ｍｍとしているので、これに対応する取り付け枠２の高さの８１０ｍｍの高さの鉛直線の点よりパチンコ台１の傾きを表すＢの表示値の間隔は０．７５５ｍｍ（０．２５厘）となる。例えば、パチンコ台１の傾きＢを４分に設定する予定が、測定の結果、測定値Ａが１３ｍｍ（Ｂが３分５厘）で傾きを５厘プラスしなければならない場合、位置決め手段２２のネジ２６のピッチが１．５ｍｍ（５厘）であると、操作部２８をパチンコ島イに向かって時計方向に１回転すると傾きＢが４分に位置決めされる。【００５４】  この発明では、傾き測定器６２の表示値Ａの間隔と、位置決め手段２２の操作部２８の操作単位（半回転および１回転等の操作単位）を対応させたので、測定結果に対応して操作部２８を操作して１回の調整でパチンコ台１を所定の傾きに位置決めできる。【００５５】  セル盤面６１の表面の凹凸や歪み等を原因とする測定誤差は、多数を測定した結果０．６ｍｍの範囲であった。しかるに傾き測定器６２は表示値Ａの表示間隔を１ｍｍとしたので、パチンコ台１の傾きＢの表示値の間隔は０．７５ｍｍとなり、上記の誤差を包含する範囲となる。セル盤面６１の傾きを測定した場合に、測定脚７２の測定個所によっては、例えば表示値Ａを１５ｍｍを基準としてこの前後の１４ｍｍもしくは１６ｍｍが表示される場合がある。たとえばパチンコ台１の傾きＢを４分に設定する場合、上記の表示値Ａが１５ｍｍもしくは１４ｍｍか１６ｍｍの場合を４分で設定されたと仮定すると、センター値４分に対して、プラスもしくはマイナス側に０．２５厘の範囲のこう差で設定されたことになり、現実にはこの誤差の範囲（セル盤面６１の測定誤差を包含した範囲）で傾きを決めることができる。即ち、パチンコ台��の傾きを０．２５厘のこう差でセル盤面６１の傾きを基準として確認かつ設定できる。【００５６】  位置決め手段２２を取り付け枠２の下桟２ｂに設ける場合は、先ず、上桟２ａを位置決め手段２３で位置決めしてから、上記と同様にして下桟２ｂを位置決めする。
【図面の簡単な説明】
【００５７】
【図１】従来の取り付け装置を示すパチンコ島の断面図
【図２】［図１］の取り付け装置の要部断面図
【図３】従来の取り付け装置で使用する調節具の斜視図
【図４】パチンコ台の従来の取り付け状態を示す、パチンコ島の正面図
【図５】パチンコ台の従来の取り付け状態を示す、パチンコ島の断面図
【図６】パチンコ台の従来の取り付け状態を示す分解斜視図
【図７】この発明の位置決め装置の取り付け状態を示す、パチンコ島の背面図
【図８】調整手段を備えた位置決め手段の斜視図
【図９】位置決め手段の斜視図
【図１０】図８の分解斜視図
【図１１】図８の取り付け状態を示す断面図
【図１２】図１１の矢視Ｃ図
【図１３】図８の取り付け状態を示す断面図
【図１４】図９の取り付け状態を示す断面図
【図１５】図９の他の使用状態を示す断面図
【図１６】図８の他の使用状態を示す断面図
【図１７】図１６の位置決め調整状態を示す断面図
【図１８】測定器の使用状態を示す位置決め装置の断面図
【図１９】測定器の表示内容を示す説明図
【図２０】測定器の分解斜視図
【図２１】測定器の測定状態を示す斜視図
【図２２】図２１の断面図
【図２３】測定器のシステムを示すフローチャート図
【図２４】位置決め装置を利用したパチンコ台の位置決め方法を示す断面図
【図２５】位置決め装置を利用したパチンコ台の位置決め方法を示す断面図
【図２６】位置決め装置を利用したパチンコ台の位置決め方法を示す断面図
【符号の説明】
【００６７】  イ・・・パチンコ島
１・・・パチンコ台
２・・・取り付け枠
２ａ・・上桟
２ｂ・・下桟
３・・・装着枠部
３ａ・・上枠部
３ｂ・・下枠部
２２・・・位置決め手段
２３・・・位置決め手段
２４・・・止着部
２４ａ・・第１の止着部
２４ｂ・・第２の止着部
２５・・・ナット
２６・・・ネジ
２７・・・当接部
２８・・・操作部
６１・・・セル盤面
６２・・・傾き測定器
６６・・・表示部
Ａ・・・表示間隔
【図１】
2009172342.tif 000003
【図２】
2009172342.tif 000004
【図３】
2009172342.tif 000005
【図４】
2009172342.tif 000006
【図５】
2009172342.tif 000007
【図６】
2009172342.tif 000008
【図７】
2009172342.tif 000009
【図８】
2009172342.tif 000010
【図９】
2009172342.tif 000011
【図１０】
2009172342.tif 000012
【図１１】
2009172342.tif 000013
【図１２】
2009172342.tif 000014
【図１３】
2009172342.tif 000015
【図１４】
2009172342.tif 000016
【図１５】
2009172342.tif 000017
【図１６】
2009172342.tif 000018
【図１７】
2009172342.tif 000019
【図１８】
2009172342.tif 000020
【図１９】
2009172342.tif 000021
【図２０】
2009172342.tif 000022
【図２１】
2009172342.tif 000023
【図２２】
2009172342.tif 000024
【図２３】
2009172342.tif 000025
【図２４】
2009172342.tif 000026
【図２５】
2009172342.tif 000027
【図２６】
2009172342.tif 000028